(57)【要約】【課題】  被処理ガス中の窒素酸化物の還元を効率的に行うことができ、脱硝剤の使用量を低減することができる脱硝装置を提供することを課題とする。【解決手段】  前記供給ノズルは、脱硝剤を流通させる脱硝剤流通管と、被処理ガスの熱を吸収する吸熱媒体を流通させる吸熱管とを備え、該吸熱管は、供給ノズルが前記流通空間に挿入された際に、前記流通空間内に位置する脱硝剤流通管の外面に沿って吸熱媒体を流通可能に構成されていることを特徴とする。【選択図】  図２
2013010089.tif 000002
【特許請求の範囲】
【請求項１】
被処理ガスが流通する流通空間にアンモニアを含有する脱硝剤を供給可能に構成された供給ノズルを備え、前記流通空間に挿入された供給ノズルから脱硝剤を前記流通空間に供給し、被処理ガスと脱硝剤とを接触させて被処理ガス中の窒素酸化物を除去する脱硝装置であって、
前記供給ノズルは、脱硝剤を流通させる脱硝剤流通管と、被処理ガスの熱を吸収する吸熱媒体を流通させる吸熱管とを備え、該吸熱管は、供給ノズルが前記流通空間に挿入された際に、前記流通空間内に位置する脱硝剤流通管の外面に沿って吸熱媒体を流通可能に構成されていることを特徴とする脱硝装置。
【請求項２】
前記吸熱管は、吸熱媒体を内部に供給可能に構成された吸熱媒体供給部と、該吸熱媒体供給部から供給された吸熱媒体を前記流通空間の外側に排出可能に構成された吸熱媒体排出部とを備え、吸熱媒体供給部から吸熱媒体を内部に供給しつつ、吸熱媒体排出部から吸熱媒体を排出するように構成されていることを特徴とする請求項１に記載の脱硝装置。
【請求項３】
前記吸熱管は、吸熱媒体供給部から供給された吸熱媒体を前記流通空間の外側から内側に向かって流通させる第一流路と、該第一流路を通過した吸熱媒体を前記流通空間の内側から外側に向かって流通させると共に吸熱媒体排出部へ送る第二流路とを備え、脱硝剤流通管の外周面を覆うように第一流路が形成されると共に、該第一流路を覆うように第二流路が形成されていることを特徴とする請求項２に記載の脱硝装置。
【請求項４】
被処理ガスが流通する流通空間にアンモニアを含有する脱硝剤を供給可能に構成された供給ノズルであって、
脱硝剤を流通させる脱硝剤流通管と、被処理ガスの熱を吸収する吸熱媒体を流通させる吸熱管とを備え、該吸熱管は、供給ノズルが前記流通空間に挿入された際に、前記流通空間内に位置する脱硝剤流通管の外面に沿って吸熱媒体を流通可能に構成されていることを特徴とする供給ノズル。
【発明の詳細な説明】
【技術分野】
【０００１】
本発明は、被処理ガスが流通する流通空間にアンモニアを含有する脱硝剤を供給し、被処理ガス中の窒素酸化物を除去する脱硝装置、及び、前記流通空間に脱硝剤を供給する供給ノズルに関する。
【背景技術】
【０００２】
ロータリーキルン等から排出されるガス中には、燃料中や空気中の窒素成分が酸素と反応して発生した窒素酸化物が含有されている。このようなガスが大気中に放散されると、窒素酸化物の影響によって光化学スモッグや酸性雨等が発生し、健康面、及び、環境面で甚大な被害を及ぼす虞がある。このため、大気汚染防止法によって窒素酸化物の排出量が制限されており、斯かる排出量を満たすべく、種々の方法が採られている。
【０００３】
例えば、窒素酸化物を還元する成分としてアンモニアを含有する脱硝剤（アンモニアガスやアンモニア水等）を上述のようなガス（被処理ガス）に接触させることで、窒素酸化物を窒素と水とに還元して分解する方法が知られている（特許文献１参照）。被処理ガスと脱硝剤とを接触させる際には、脱硝剤を拡散する拡散ガスと脱硝剤とを噴出可能に構成された供給ノズルが用いられる。該供給ノズルは、被処理ガスが流通する流通空間に挿入されて使用されるものであり、前記流通空間に脱硝剤及び拡散ガスを噴出させることで被処理ガスに脱硝剤を接触可能に構成されている。
【先行技術文献】
【特許文献】
【０００４】
【特許文献１】特開２０１０−２８１２７５号公報
【発明の概要】
【発明が解決しようとする課題】
【０００５】
しかしながら、上述のように、供給ノズルを前記流通空間に挿入した場合、前記流通空間内を流通する被処理ガスが供給ノズルに接触するため、被処理ガスの熱によって供給ノズルが加熱される。これにより、供給ノズル内で脱硝剤が加熱され、脱硝剤に含有されるアンモニアが熱分解してしまう虞がある。
【０００６】
上述のように、脱硝剤に含有されるアンモニアが熱分解すると、脱硝剤中のアンモニアの含有量が低下するため、脱硝剤が被処理ガスに接触した際の窒素酸化物の還元効率が低下することとなる。このため、被処理ガス中の窒素酸化物の含有量に対応した量を越える量の脱硝剤を前記流通空間に供給することが必要となり、窒素酸化物を除去する際のコストが高くなる要因となる。
【０００７】
そこで、本発明は、被処理ガス中の窒素酸化物の還元を効率的に行うことができ、脱硝剤の使用量を低減することができる脱硝装置、及び、前記流通空間に脱硝剤を供給する供給ノズルを提供することを課題とする。
【課題を解決するための手段】
【０００８】
本発明に係る脱硝装置は、被処理ガスが流通する流通空間にアンモニアを含有する脱硝剤を供給可能に構成された供給ノズルを備え、前記流通空間に挿入された供給ノズルから脱硝剤を前記流通空間に供給し、被処理ガスと脱硝剤とを接触させて被処理ガス中の窒素酸化物を除去する脱硝装置であって、前記供給ノズルは、脱硝剤を流通させる脱硝剤流通管と、被処理ガスの熱を吸収する吸熱媒体を流通させる吸熱管とを備え、該吸熱管は、供給ノズルが前記流通空間に挿入された際に、前記流通空間内に位置する脱硝剤流通管の外面に沿って吸熱媒体を流通可能に構成されていることを特徴とする。
【０００９】
斯かる構成によれば、前記吸熱管は、供給ノズルが前記流通空間に挿入された際に、前記流通空間内に位置する脱硝剤流通管の外面に沿って吸熱媒体を流通可能に構成されていることで、被処理ガスの熱によって脱硝剤流通管が加熱され、脱硝剤に含有されるアンモニアが脱硝剤流通管内で熱分解してしまうのを防止することができる。
【００１０】
具体的には、前記流通空間に供給ノズルが挿入されて被処理ガスが供給ノズルに接触することで、供給ノズルは、被処理ガスの熱によって加熱されることとなる。しかしながら、前記流通空間内に位置する脱硝剤流通管の外面に沿って吸熱媒体を流通可能に吸熱管が構成されていることで、吸熱管内を流通する吸熱媒体に被処理ガスの熱を吸収させることができる。このため、脱硝剤流通管が被処理ガスの熱によって加熱されるのを防止することができる。
【００１１】
これにより、脱硝剤流通管内で脱硝剤が加熱され、脱硝剤に含有されるアンモニアが熱分解してしまうのを防止することができ、脱硝剤中のアンモニアの含有量が低下してしまうのを防止することができる。これにより、脱硝剤と被処理ガスとが接触した際に、アンモニアによる窒素酸化物の還元（除去）効率が低下してしまうのを抑制することができる。このため、前記流通空間へ供給する脱硝剤の供給量を低減することができる。
【００１２】
前記吸熱管は、吸熱媒体を内部に供給可能に構成された吸熱媒体供給部と、該吸熱媒体供給部から供給された吸熱媒体を前記流通空間の外側に排出可能に構成された吸熱媒体排出部とを備え、吸熱媒体供給部から吸熱媒体を内部に供給しつつ、吸熱媒体排出部から吸熱媒体を排出するように構成されていることが好ましい。
【００１３】
斯かる構成によれば、前記吸熱管は、吸熱媒体を内部に供給可能に構成された吸熱媒体供給部と、該吸熱媒体供給部から供給された吸熱媒体を前記流通空間の外側に排出可能に構成された吸熱媒体排出部とを備え、吸熱媒体供給部から吸熱媒体を内部に供給しつつ、吸熱媒体排出部から吸熱媒体を排出するように構成されていることで、被処理ガスの熱を吸収して加熱された吸熱媒体を吸熱媒体排出部から排出しつつ、加熱前（吸熱前）の状態の吸熱媒体を吸熱管内に供給することができる。これにより、吸熱管内に吸熱媒体が滞ってしまうのを防止することができ、吸熱管内の吸熱媒体を常に吸熱可能な状態に維持することができる。
【００１４】
また、吸熱媒体供給部から供給された吸熱媒体を前記流通空間の外側へ排出するように構成されているため、前記流通空間を流通する被処理ガスや、脱硝剤によって窒素酸化物が除去された処理ガスに、吸熱媒体が混入してしまうのを防止することができる。これにより、脱硝剤、被処理ガス、及び、処理ガスが吸熱媒体と接触することがなく、脱硝剤等が吸熱媒体と反応して窒素酸化物の還元（除去）効率を低下させてしまうのを防止することができる。つまり、吸熱媒体の成分が窒素酸化物の除去効率に影響しないため、吸熱媒体の成分を任意に選択することができる。
【００１５】
前記吸熱管は、吸熱媒体供給部から供給された吸熱媒体を前記流通空間の外側から内側に向かって流通させる第一流路と、該第一流路を通過した吸熱媒体を前記流通空間の内側から外側に向かって流通させると共に吸熱媒体排出部へ送る第二流路とを備え、脱硝剤流通管の外周面を覆うように第一流路が形成されると共に、該第一流路を覆うように第二流路が形成されていることが好ましい。
【００１６】
斯かる構成によれば、脱硝剤流通管の外周面を覆うように第一流路が形成されることで、吸熱媒体供給部から供給された吸熱媒体が脱硝剤流通管の外周面を覆うように第一流路を流通することとなる。これにより、被処理ガスの熱によって加熱される前（即ち、低温）の吸熱媒体によって脱硝剤流通管を覆うことができる。
【００１７】
また、第一流路を覆うように第二流路が形成されていることで、該第一流路を通過した吸熱媒体が第一流路を覆うように第二流路を流通することとなる。つまり、第一流路よりも第二流路が供給ノズルの外側に位置することとなる。これにより、第二流路を流通する吸熱媒体が第一流路を流通する吸熱媒体よりも先に被処理ガスの熱を吸収するため、第一流路を流通する吸熱媒体が被処理ガスの熱を吸収して直接加熱されるのを抑制することができる。つまり、被処理ガスの熱を吸収する前の吸熱媒体によって脱硝剤流通管の外周面を覆うことができるため、脱硝剤流通管が被処理ガスによって加熱されるのをより効果的に防止することができる。
【００１８】
また、第一流路を流通する吸熱媒体と第二流路を流通する吸熱媒体とによって脱硝剤流通管の外周面が覆われるため、被処理ガスの熱が第一及び第二流路を流通する吸熱媒体によって吸収される。具体的には、被処理ガスの熱を吸収して加熱された第二流路を流通する吸熱媒体の熱が第一流路にも伝わる場合には、第二流路の吸熱媒体の熱が第一流路を流通する吸熱媒体によって吸収されるため、被処理ガスの熱が脱硝剤流通管に伝わるのを効果的に防止することができる。これにより、脱硝剤流通管が加熱されるのをより効果的に防止することができる。
【００１９】
本発明に係る供給ノズルは、被処理ガスが流通する流通空間にアンモニアを含有する脱硝剤を供給可能に構成された供給ノズルであって、脱硝剤を流通させる脱硝剤流通管と、被処理ガスの熱を吸収する吸熱媒体を流通させる吸熱管とを備え、該吸熱管は、供給ノズルが前記流通空間に挿入された際に、前記流通空間内に位置する脱硝剤流通管の外面に沿って吸熱媒体を流通可能に構成されていることを特徴とする。
【発明の効果】
【００２０】
以上のように、本発明によれば、被処理ガス中の窒素酸化物の還元を効率的に行うことができると共に、脱硝剤の使用量を低減することができる。
【図面の簡単な説明】
【００２１】
【図１】本実施形態に係る脱硝装置の構成を示した概略図。
【図２】同実施形態における供給ノズルの断面図であって、該供給ノズルが配管設備に挿入された状態を示した図。
【発明を実施するための形態】
【００２２】
以下、本発明の実施形態について、図１及び２を参照しながら説明する。
【００２３】
本実施形態に係る脱硝装置１は、窒素酸化物を含有するガス（以下、被処理ガスとも記す）から窒素酸化物を除去する際に用いられるものである。例えば、セメント材料を製造する際に用いられるロータリーキルン等から排出されるガス（被処理ガス）中から窒素酸化物を除去する際に用いられるものである。
【００２４】
脱硝装置１は、アンモニアを含有する脱硝剤を被処理ガスに接触させることで、被処理ガス中の窒素酸化物をアンモニアによって還元して分解し、除去するように構成されている。具体的には、脱硝装置１は、図１に示すように、被処理ガスが流通する流通空間（以下、脱硝空間とも記す）Ｒに脱硝剤を供給可能に構成された供給ノズル２を備えている。また、脱硝装置１は、供給ノズル２に脱硝剤を供給する脱硝剤供給設備３と、脱硝空間Ｒに脱硝剤を拡散させる拡散ガスを供給ノズル２に供給する拡散ガス供給設備４と、被処理ガスの熱を吸収する吸熱媒体を供給ノズル２に供給する吸熱媒体供給設備５とを備えている。
【００２５】
なお、本実施形態では、脱硝空間Ｒは、配管設備Ａの内側に形成されている。また、脱硝空間Ｒにおける脱硝剤を供給する位置の被処理ガスの温度としては、アンモニアガスによる窒素酸化物の還元が効果的に生じる温度、具体的には、８００℃以上１０００℃以下であることが好ましい。
【００２６】
脱硝剤供給設備３は、脱硝剤としてアンモニアガスを供給可能に構成されている。具体的には、脱硝剤供給設備３は、液体アンモニアを貯蔵する脱硝剤貯蔵設備３ａと、液体アンモニアを加熱して気化することでアンモニアガスを発生させる脱硝剤加熱設備３ｂと、供給ノズル２へ送るアンモニアガスの流量を均一化するサージタンク３ｃとを備えている。そして、各設備が配管を介して連結されると共に、サージタンク３ｃが配管を介して供給ノズル２に連結されている。
【００２７】
供給ノズル２内に供給されるアンモニアガスの温度としては、アンモニアの臨界温度（１３２．４℃）以上であることが好ましく、アンモニアの熱分解が生じる温度未満であることが好ましい。具体的には、アンモニアガスの温度としては、１３２．４℃以上４００℃以下であることが好ましく、１５０℃以上２５０℃以下であることがより好ましい。アンモニアガスの温度をこのような温度に調節することで、供給ノズル２内でアンモニアが液化してしまうのを防止することができる。
【００２８】
また、脱硝剤供給設備３は、被処理ガス中の窒素酸化物の濃度に応じて、アンモニアガスの供給量を調節可能に構成されている。例えば、被処理ガス中の窒素酸化物の濃度が変動する場合には、その変動量に応じてアンモニアガスの供給量を調節可能に構成されている。これにより、窒素酸化物の濃度に対してアンモニアガスの供給量が過剰、又は、過少になってしまうのを防止することができる。
【００２９】
拡散ガス供給設備４は、実質的に酸素を含有しない不活性ガスを拡散ガスとして供給可能に構成されている。具体的には、拡散ガス供給設備４は、不活性ガスを貯蔵する不活性ガス貯蔵設備４ａと、不活性ガスを供給ノズル２に送るコンプレッサ４ｂとから構成されている。そして、各設備が配管を介して連結されると共に、脱硝剤供給設備３（具体的には、サージタンク３ｃ）と供給ノズル２とを連結する配管にコンプレッサ４ｂが連結されている。これにより、アンモニアガスと不活性ガスとが供給ノズル２に流入する前に混合されて混合ガスが形成される。つまり、アンモニアガス及び拡散ガスは、混合ガスの状態で供給ノズル２へ供給される。不活性ガスの温度としては、５０℃以上４００℃以下であることが好ましく、１００℃以上２００℃以下であることがより好ましい。
【００３０】
不活性ガスとしては、酸素の含有量が好ましくは４．０ｗｔ％以下、より好ましくは１ｗｔ％以下であるものを用いることができる。また、不活性ガスの酸素分圧としては、不活性ガス投入圧力が０．４ＭＰａの場合、０．０２ＭＰａ以下であることが好ましく、０．００５ＭＰａ以下であることがより好ましい。不活性ガスの成分としては、水蒸気、窒素、アルゴン等を用いることができる。
【００３１】
また、拡散ガス供給設備４は、脱硝剤（アンモニアガス）の供給量に応じて、拡散ガス（不活性ガス）の供給量を調節可能に構成されている。例えば、アンモニアガスの供給量が変動する場合には、その変動量に応じて不活性ガスの供給量を調節可能に構成されている。これにより、アンモニアガスの供給量が変動した際にも、脱硝空間Ｒに供給される混合ガスの供給量を一定に維持することができる。
【００３２】
吸熱媒体供給設備５は、供給ノズル２に吸熱媒体を供給可能に構成されており、配管を介して供給ノズル２（具体的には、後述する吸熱媒体供給部２ｅ）に連結されている。吸熱媒体としては、特に限定されるものではないが、被処理ガスの温度に応じて適宜選択することができ、例えば空気や水等の流体が用いられる。また、吸熱媒体としては、被処理ガスの熱を吸収した際に状態変化を生じない流体、例えば、被処理ガスの温度が上記のような温度である場合には、空気を用いることが好ましい。吸熱媒体の温度としては、アンモニアの臨界温度以上であることが好ましい。具体的には、吸熱媒体として空気を用いた場合、空気の温度がアンモニア分解温度の４００℃未満である事が好ましく、１３２．４℃以上２００℃以下であることがより好ましい。
【００３３】
供給ノズル２は、配管設備Ａの壁部を貫通した状態で配管設備Ａ内（即ち、脱硝空間Ｒ内）に挿入されている。そして、供給ノズル２は、配管設備Ａに挿入された状態で、脱硝空間Ｒ内に位置する先端部からアンモニアガスと不活性ガスとからなる混合ガスを噴出可能に構成されている。混合ガスの噴出速度としては、特に限定されるものではなく、被処理ガスの流速よりも１０ｍ／ｓを越える速度であることが好ましい。
【００３４】
また、供給ノズル２は、被処理ガスの流通方向に対して交差する方向（本実施形態では、略直交する方向）に混合ガスを噴出するように配置されている。また、供給ノズル２は、脱硝空間Ｒの外側（具体的には、配管設備Ａの外側）に位置する基端部に、脱硝剤供給設備３（具体的には、サージタンク３ｃ）と拡散ガス供給設備４（具体的には、コンプレッサ４ｂ）とが連結された配管が連結されると共に、吸熱媒体供給設備５が配管を介して連結されている。
【００３５】
供給ノズル２は、図２に示すように、脱硝剤（具体的には、前記混合ガス）を流通させる脱硝剤流通管２ａと、非処理ガスの熱を吸収する吸熱媒体を流通させる吸熱管２ｂとを備えている。
【００３６】
脱硝剤流通管２ａは、一方向に沿って直線状に形成されており、脱硝空間Ｒ内に位置する先端部からアンモニアガスと不活性ガスとからなる混合ガスを噴出可能に構成されている。そして、脱硝剤流通管２ａの基端部（脱硝空間Ｒの外側に位置する端部）に脱硝剤供給設備３（具体的には、サージタンク３ｃ）と拡散ガス供給設備４（具体的には、コンプレッサ４ｂ）とが連結された配管が連結されている。つまり、脱硝剤流通管２ａは、基端部から先端部に向かって混合ガスが流通するように構成されている。
【００３７】
また、脱硝剤流通管２ａは、吸熱管２ｂの軸方向に沿って吸熱管２ｂの内側に配置されている。また、脱硝剤流通管２ａは、吸熱管２ｂとの間に間隔が形成されるように、吸熱管２ｂの内側に配置されている。また、脱硝剤流通管２ａが吸熱管２ｂの内側に配置された状態で、脱硝剤流通管２ａ及び吸熱管２ｂの軸方向に直行する断面形状が同心円状となっている。また、脱硝剤流通管２ａが吸熱管２ｂの内側に配置された状態で、脱硝剤流通管２ａの軸方向の両端部は、吸熱管２ｂの軸方向の両端部よりも突出した状態となっている。つまり、脱硝剤流通管２ａの軸方向の両端部よりも内側の領域に吸熱管２ｂが備えられている。
【００３８】
吸熱管２ｂは、一方向（具体的には、脱硝剤流通管２ａの軸方向）に沿って直線状に形成されている。そして、吸熱管２ｂの内側には、吸熱管２ｂの軸方向に沿って脱硝剤流通管２ａが配置されている。また、吸熱管２ｂの内側に脱硝剤流通管２ａが配置された状態で、吸熱管２ｂと脱硝剤流通管２ａとの間に間隔が形成されている。これにより、吸熱管２ｂの内周面と脱硝剤流通管２ａの外周面との間を吸熱媒体が流通可能となっている。
【００３９】
また、吸熱管２ｂは、脱硝剤流通管２ａの軸方向の両端間の領域に配置されている。また、吸熱管２ｂの軸方向の両端部は、脱硝剤流通管２ａの外周面に連結されて密閉されている。また、吸熱管２ｂは、供給ノズル２が脱硝空間Ｒに挿入された状態で、脱硝空間Ｒの内外（即ち、配管設備Ａの内外）に亘って形成されている。つまり、供給ノズル２が脱硝空間Ｒに挿入された状態で、吸熱管２ｂの軸方向の一端部が脱硝空間Ｒの外側（即ち、配管設備Ａの外側）位置し、軸方向の他端部が脱硝空間Ｒの内側（即ち、配管設備Ａの内側）に位置するように構成されている。
【００４０】
また、吸熱管２ｂは、供給ノズル２が脱硝空間Ｒに挿入された状態で、脱硝空間Ｒ内に位置する脱硝剤流通管２ａの外面に沿って吸熱媒体を流通可能に構成されている。また、吸熱管２ｂは、吸熱媒体を内部に供給可能に構成された吸熱媒体供給部２ｅと、該吸熱媒体供給部２ｅから供給された吸熱媒体を排出可能に構成された吸熱媒体排出部２ｆとを備えている。
【００４１】
吸熱媒体供給部２ｅは、管状に形成されて吸熱管２ｂの内部と連通するように構成されている。また、吸熱媒体供給部２ｅは、供給ノズル２が配管設備Ａに挿入された状態で、脱硝空間Ｒの外側（即ち、配管設備Ａの外側）に位置するように構成されており、吸熱媒体供給設備５と配管を介して連結されている。一方、吸熱媒体排出部２ｆは、管状に形成されて吸熱管２ｂの内部と連通するように構成されている。また、吸熱媒体排出部２ｆは、供給ノズル２が配管設備Ａに挿入された状態で、脱硝空間Ｒの外側（即ち、配管設備Ａの外側）に位置すると共に、脱硝空間Ｒの外側に吸熱媒体を排出可能に構成されている。
【００４２】
また、吸熱管２ｂは、吸熱媒体供給部２ｅから供給された吸熱媒体を脱硝空間Ｒの外側から内側に向かって流通させると共に、脱硝空間Ｒの内側から外側に向かって吸熱媒体を流通させるように構成されている。具体的には、吸熱管２ｂは、吸熱媒体供給部２ｅから供給された吸熱媒体を脱硝空間Ｒの外側から内側に向かって流通させる第一流路２ｇと、該第一流路２ｇを通過した吸熱媒体を脱硝空間Ｒの内側から外側に向かって流通させる第二流路２ｈとを備えている。より詳しくは、吸熱管２ｂは、脱硝剤流通管２ａとの間に第一流路２ｇを形成する内管２ｃと、該内管２ｃとの間に第二流路２ｈを形成する外管２ｄとから構成されている。
【００４３】
内管２ｃは、一方向（脱硝剤流通管２ａの軸方向）に沿って直線状に形成されている。そして、内管２ｃの軸方向に沿って内管２ｃの内側に脱硝剤流通管２ａが配置された状態で、内管２ｃと脱硝剤流通管２ａとの間に間隔が形成されている。これにより、内管２ｃの内周面と脱硝剤流通管２ａの外周面との間に第一流路２ｇが形成されている。
【００４４】
また、内管２ｃは、脱硝剤流通管２ａが内側に配置された状態で、軸方向の両端部のうち供給ノズル２の基端側に位置する端部が脱硝剤流通管２ａの外周面に連結されて密閉されている。また、内管２ｃは、供給ノズル２の基端側に位置する端部に吸熱媒体供給部２ｅを備えており、該吸熱媒体供給部２ｅと第一流路２ｇが連通した状態となっている。また、内管２ｃは、軸方向の両端部のうち供給ノズル２の先端側に位置する端部が外管２ｄの内側に位置しており、斯かる端部が脱硝剤流通管２ａ及び外管２ｄの内面と離間した状態となっている。
【００４５】
外管２ｄは、一方向（脱硝剤流通管２ａの軸方向）に沿って直線状に形成されている。そして、外管２ｄの軸方向に沿って外管２ｄの内側に脱硝剤流通管２ａ及び内管２ｃが配置されている。具体的には、内管２ｃの内側に脱硝剤流通管２ａが配置された状態で、内管２ｃが外管２ｄの内側に配置されており、外管２ｄと内管２ｃとの間に間隔が形成されている。これにより、外管２ｄの内周面と内管２ｃの外周面との間に第二流路２ｈが形成されている。
【００４６】
また、外管２ｄの内側に脱硝剤流通管２ａ及び内管２ｃが配置された状態で、脱硝剤流通管２ａの軸方向の両端部が外管２ｄの軸方向の両端部よりも突出した状態となっている。また、供給ノズル２の先端側に位置する内管２ｃの端部が外管２ｄの内側に位置している。更に、供給ノズル２の基端側においては、内管２ｃの端部が外管２ｄの端部よりも突出した状態となっている。
【００４７】
また、外管２ｄは、脱硝剤流通管２ａ及び内管２ｃが内側に配置された状態で、軸方向の両端部のうち供給ノズル２の基端側に位置する端部が内管２ｃの外周面に連結されて密閉されている。また、外管２ｄは、軸方向の両端部のうち供給ノズル２の先端側に位置する端部が脱硝剤流通管２ａの外周面に連結されて密閉されている。また、外管２ｄは、供給ノズル２の基端側に位置する端部に、吸熱媒体排出部２ｆを備えており、該吸熱媒体排出部２ｆと第二流路２ｈが連通した状態となっている。
【００４８】
上記のように、吸熱管２ｂが構成されることで、脱硝剤流通管２ａの外周面を覆うように第一流路２ｇが形成されると共に、該第一流路２ｇを覆うように第二流路２ｈが形成される。つまり、供給ノズル２は、中心部に脱硝剤流通管２ａが位置すると共に、該脱硝剤流通管２ａの外周面を覆うように内管２ｃが形成され、該内管２ｃを覆うように外管２ｄが形成された三重管構造となっている。
【００４９】
また、第一流路２ｇと第二流路２ｈとは、供給ノズル２の先端側で連通した状態となっている。これにより、吸熱媒体供給部２ｅから第一流路２ｇに供給された吸熱媒体が脱硝空間Ｒの外側から内側に向かって第一流路２ｇを流通して第二流路２ｈに流入し、脱硝空間Ｒの内側から外側に向かって第二流路２ｈを流通して吸熱媒体排出部２ｆから排出されることとなる。
【００５０】
供給ノズル２は、脱硝空間Ｒへの挿入量Ｘを調節可能に構成されている。具体的には、供給ノズル２は、挿入量Ｘを調節する挿入量調節手段２ｉを備えている。該挿入量調節手段２ｉは、吸熱管２ｂ（具体的には、外管２ｄ）の外周面から突出するように（具体的には、フランジ状に）備えられており、配管設備Ａの外側から配管設備Ａに当接するように構成されている。また、挿入量調節手段２ｉは、脱硝剤流通管２ａの軸方向（即ち、吸熱管２ｂの軸方向）に沿って、脱硝剤流通管２ａの先端部に対して相対移動可能となるように構成されている。
【００５１】
挿入量調節手段２ｉが上述のように構成されることで、脱硝剤流通管２ａの先端部と挿入量調節手段２ｉとの間の距離を任意に変更することができる。これにより、脱硝空間Ｒにおける脱硝剤流通管２ａの先端部の位置を所望する位置に固定することができる。具体的には、供給ノズル２を配管設備Ａに挿入した際に、挿入量調節手段２ｉが配管設備Ａに当接するため、脱硝剤流通管２ａの先端部と挿入量調節手段２ｉとの間の距離を調節することで、供給ノズル２の挿入量Ｘを調節することができる。これにより、脱硝空間Ｒにおける脱硝剤流通管２ａの先端部の位置を所望する位置に固定することができる。
【００５２】
挿入量Ｘは、供給ノズル２から噴出される混合ガスと被処理ガスとの接触が効果的に行われるように設定される。例えば、配管設備Ａにおける供給ノズル２の挿入位置の内面と、該挿入位置の内面に対向する位置の内面との間の距離（例えば、脱硝空間Ｒの直径）に応じて、挿入量Ｘを設定することができる。なお、挿入量Ｘは、配管設備Ａにおける供給ノズル２の挿入位置の内面から供給ノズル２の先端部（即ち、脱硝剤流通管２ａの先端部）までの供給ノズル２の軸方向に沿った直線距離をいう。
【００５３】
上記のように構成された脱硝装置１を用いて、被処理ガスから窒素酸化物を除去する際には、まず始めに、所望する挿入量Ｘとなるように挿入量調節手段２ｉを調節する。そして、供給ノズル２を配管設備Ａに挿入して固定する。この際、供給ノズル２は、脱硝空間Ｒ内の領域において被処理ガスと接触した状態となる。
【００５４】
また、吸熱管２ｂには、吸熱媒体供給部２ｅから吸熱媒体を継続的に供給しつつ吸熱媒体排出部２ｆから吸熱媒体を排出させる。これにより、第一及び第二流路２ｇ，２ｈを吸熱媒体が流通した状態、即ち、脱硝空間Ｒ内に位置する脱硝剤流通管２ａの外面に沿って吸熱媒体が流通した状態となる。そして、脱硝空間Ｒ内において供給ノズル２に接触する被処理ガスの熱が吸熱媒体によって吸収されると共に、吸熱媒体と共に脱硝空間Ｒの外側に排出される。このため、脱硝剤流通管２ａが被処理ガスの熱によって加熱されるのが防止される。
【００５５】
そして、脱硝剤供給設備３からアンモニアガスを供給ノズル２（具体的には、脱硝剤流通管２ａ）へ送り出すると共に、拡散ガス供給設備４から不活性ガスを供給ノズル２（具体的には、脱硝剤流通管２ａ）へ送り出す。供給ノズル２へ流通するアンモニアガス及び不活性ガスは、供給ノズル２に流入する前に混合されて混合ガスとなり、該混合ガスが供給ノズル２に流入する。供給ノズル２へ流入した混合ガス（具体的には、アンモニアガス）は、上述のように脱硝剤流通管２ａが加熱されていないため、脱硝剤流通管２ａ内においても、窒素酸化物を還元するのに適した温度が維持される。
【００５６】
そして、供給ノズル２（具体的には、脱硝剤流通管２ａ）の先端部から脱硝空間Ｒに混合ガスを噴出させる。噴出された混合ガス中のアンモニアガスは、不活性ガスと共に脱硝空間Ｒ内に拡散し、被処理ガスと接触して窒素酸化物を還元して分解する。これにより、被処理ガスから窒素酸化物を除去することができ、窒素酸化物が除去された処理ガスを得ることができる。
【００５７】
以上のように、本発明に係る脱硝装置によれば、被処理ガス中の窒素酸化物の還元を効率的に行うことができると共に、脱硝剤の使用量を低減することができる。
【００５８】
即ち、脱硝装置１は、脱硝空間Ｒに供給ノズル２が挿入されて被処理ガスが供給ノズル２に接触することで、供給ノズル２が被処理ガスの熱によって加熱されることとなる。しかしながら、脱硝空間Ｒ内に位置する脱硝剤流通管２ａの外面に沿って吸熱媒体を流通可能に吸熱管２ｂが構成されていることで、吸熱管２ｂ内を流通する吸熱媒体に被処理ガスの熱を吸収させることができる。このため、脱硝剤流通管２ａが被処理ガスの熱によって加熱されるのを防止することができる。
【００５９】
これにより、脱硝剤流通管２ａ内で脱硝剤が加熱されることによって脱硝剤に含有されるアンモニアが熱分解してしまうのを防止することができる。従って、脱硝剤中のアンモニアの含有量が低下してしまうのを防止することができる。これにより、脱硝剤と被処理ガスとが接触した際に生じる窒素酸化物のアンモニアによる還元（除去）効率が低下してしまうのを防止することができる。このため、脱硝空間Ｒへ供給する脱硝剤の供給量を低減することができる。
【００６０】
また、被処理ガスの熱を吸収して加熱された吸熱媒体を吸熱媒体排出部２ｆから排出しつつ、加熱前（吸熱前）の状態の吸熱媒体を吸熱管２ｂ内に供給することができる。これにより、吸熱管２ｂ内に吸熱媒体が滞ってしまうのを防止することができ、吸熱管２ｂ内の吸熱媒体を常に吸熱可能な状態に維持することができる。
【００６１】
また、吸熱媒体供給部２ｅから供給された吸熱媒体を脱硝空間Ｒの外側へ排出するように構成されているため、脱硝空間Ｒを流通する被処理ガスや、脱硝剤によって窒素酸化物が除去された処理ガスに吸熱媒体が混入してしまうのを防止することができる。これにより、脱硝剤、被処理ガス、及び、処理ガスが吸熱媒体と接触することがなく、脱硝剤等が吸熱媒体と反応して窒素酸化物の還元（除去）効率を低減させてしまうのを防止することができる。つまり、吸熱媒体の成分が窒素酸化物の除去効率に影響しないため、吸熱媒体の成分を任意に選択することができる。
【００６２】
脱硝剤流通管２ａの外周面を覆うように第一流路２ｇが形成されることで、吸熱媒体供給部２ｅから供給された吸熱媒体が脱硝剤流通管２ａの外周面を覆うように第一流路２ｇを流通することとなる。これにより、被処理ガスの熱によって加熱される前（即ち、低温）の吸熱媒体によって脱硝剤流通管２ａを覆うことができる。
【００６３】
また、第一流路２ｇを覆うように第二流路２ｈが形成されていることで、該第一流路２ｇを通過した吸熱媒体が第一流路２ｇを覆うように第二流路２ｈを流通することとなる。つまり、第一流路２ｇよりも第二流路２ｈが供給ノズルの外側に位置することとなる。これにより、第二流路２ｈを流通する吸熱媒体が第一流路２ｇを流通する吸熱媒体よりも先に被処理ガスの熱を吸収するため、第一流路２ｇを流通する吸熱媒体が被処理ガスの熱を吸収して直接加熱されるのを抑制することができる。つまり、被処理ガスの熱を吸収する前の吸熱媒体によって脱硝剤流通管２ａの外周面を覆うことができるため、脱硝剤流通管２ａが被処理ガスによって加熱されるのをより効果的に防止することができる。
【００６４】
また、第一流路２ｇを流通する吸熱媒体と第二流路２ｈを流通する吸熱媒体とによって脱硝剤流通管２ａの外周面が覆われるため、被処理ガスの熱が第一及び第二流路２ｇ，２ｈを流通する吸熱媒体によって吸収される。具体的には、被処理ガスの熱を吸収して加熱された第二流路２ｈを流通する吸熱媒体の熱が第一流路２ｇにも伝わる場合には、第二流路２ｈの吸熱媒体の熱が第一流路２ｇを流通する吸熱媒体によって吸収されるため、被処理ガスの熱が脱硝剤流通管２ａに伝わるのを効果的に防止することができる。これにより、脱硝剤流通管２ａが加熱されるのをより効果的に防止することができる。
【００６５】
なお、本発明に係る脱硝装置は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００６６】
例えば、上記実施形態では、脱硝剤として、アンモニアガスを用いているが、これに限定されるものではなく、アンモニアガス以外の流体を用いることができる。例えば、液体アンモニアやアンモニア水のような液体、又は、アンモニアを含有する粉体等を用いることができる。
【００６７】
また、上記実施形態では、脱硝剤としてアンモニアガスのみを含有するものを用いているが、これに限定されるものではなく、アンモニア成分以外の成分を含有する脱硝剤を用いることができる。
【００６８】
また、上記実施形態では、脱硝剤（アンモニアガス）の供給量に応じて拡散ガス（不活性ガス）の供給量が調節されるように構成されているが、これに限定されるものではなく、拡散ガスの供給量を一定に維持した状態で、脱硝剤の供給量が変動するように構成してもよい。
【００６９】
また、上記実施形態では、拡散ガスとして不活性ガスを用いているが、これに限定されるものではなく、空気等のように酸素を含有するガスを拡散ガスとして用いてもよい。
【００７０】
また、上記実施形態では、脱硝剤流通管２ａと吸熱管２ｂ（具体的には、内管２ｃ）との間に第一流路２ｇが形成されているが、これに限定されるものではなく、脱硝剤流通管２ａの外周面に密着するように脱硝剤流通管２ａに沿って他の管を形成し、斯かる管の外周面に内管２ｃ及び外管２ｄが連結されて密閉されてもよい。
【００７１】
また、上記実施形態では、吸熱管２ｂが内管２ｃ及び外管２ｄから構成されているが、これに限定されるものではなく、吸熱媒体供給部２ｅと吸熱媒体排出部２ｆとを備えた単一の管のみから構成されてもよい。例えば、単一の管の内側に脱硝剤流通管２ａが配置されるように供給ノズルが構成されてもよく、脱硝剤流通管２ａの外周面に沿って螺旋状に単一の管が形成されてもよい。
【実施例】
【００７２】
以下、本発明の実施例について説明する。
【００７３】
＜実施例及び比較例＞
１．脱硝
下記表１に示す流量、温度、及び、窒素酸化物（ＮＯｘ）の含有量となる被処理ガスを配管設備内に流通させた。そして、上記実施形態に示す供給ノズルを用いて脱硝剤及び拡散ガスを配管設備内に供給（噴出）した。なお、配管設備内の酸素濃度は、下記表１に示す通りである。
【００７４】
脱硝剤としては、アンモニアガスを用いた。また、アンモニアガスの供給流量及び供給モル量は、下記表２に示す通りである。また、拡散ガスの成分、及び、供給流量は、下記表２に示す通りである。また、吸熱媒体の成分、及び、供給流量は、下記表２に示す通りである。なお、アンモニアガス及び拡散ガスの混合ガスが供給ノズルから噴出される際の噴出圧力、及び、供給ノズルの温度は、下記表２に示す通りである。
【００７５】
【表１】
2013010089.tif 000003
【００７６】
【表２】
2013010089.tif 000004
【００７７】
２．測定及び評価
供給ノズルから脱硝剤及び拡散ガスを配管設備に供給した後、配管設備から排出される処理ガスに対し、ＪＩＳ  Ｋ  ０１０４：２０１１（排ガス中の窒素酸化物分析法）に規定する「８  自動計測法−化学発行方式」を用いてＮＯｘ濃度（脱硝剤供給後のＮＯｘ濃度）の測定を行った。そして、脱硝剤が配管設備内に供給される前の被処理ガスのＮＯｘ濃度と脱硝剤供給後のＮＯｘ濃度との差からＮＯｘ濃度の減少量を算出し、該減少量に対応したＮＯｘのモル量（ＮＯｘの減少モル量）を算出した。また、表２に示す脱硝剤の供給モル量に対するＮＯｘの減少モル量の割合を算出し、脱硝効率とした。脱硝剤供給後のＮＯｘ濃度、ＮＯｘ濃度の減少量、ＮＯｘの減少モル量、及び、脱硝効率については、下記表３に示す通りである。
【００７８】
【表３】
2013010089.tif 000005
【００７９】
３．まとめ
実施例１〜４と比較例１とを比較すると、実施例１〜４の方が供給ノズルの温度が低い数値となることが認められる。そして、実施例１〜４の方が脱硝剤の供給流量（供給モル量）が少ないにもかかわらず脱硝効率が高いことが認められる。つまり、吸熱管に吸熱媒体を流通させることで、被処理ガスが供給ノズルと接触した際にも、被処理ガスの熱が吸熱媒体に吸収されて、吸熱媒体と共に脱硝空間の外側に排出されるため、供給ノズルの温度上昇が抑制されることが認められる。これにより、アンモニアガスが供給ノズル内で熱分解してしまうのを抑制することができ、被処理ガス中の窒素酸化物の還元を効率的に行うことができるため、脱硝剤の供給量を低減することが可能となっている。
【符号の説明】
【００８０】
１…脱硝装置、２…供給ノズル、２ａ…脱硝剤流通管、２ｂ…吸熱管、２ｃ…内管、２ｄ…外管、２ｅ…吸熱媒体供給部、２ｆ…吸熱媒体排出部、２ｇ…第一流路、２ｈ…第二流路、３…脱硝剤供給設備、４…拡散ガス供給設備、４ａ…不活性ガス貯蔵設備、４ｂ…コンプレッサ、５…吸熱媒体供給設備、Ａ…配管設備、Ｒ…脱硝空間
【図１】
2013010089.tif 000006
【図２】
2013010089.tif 000007